【事件の表示】
　特許第２８６１４１１号「画像記録装置」の特許に対する特許異議の申立てについて、次のとおり決定する。
【結　論】
　訂正を認める。
　特許第２８６１４１１号の特許を維持する。
【理　由】
１．手続の経緯
　本件特許２８６１４１１号発明は、平成３年１月２８日に特許出願され、平成１０年１２月１１日にその特許の設定登録がなされ、その後、内山　充より特許異議の申立てがなされ、取消理由通知がなされ、その指定期間内である平成１２年１月３１日に特許異議意見書とともに訂正請求がなされ、さらに、訂正拒絶理由が通知されたものである。
　
２．訂正の適否についての判断
（１）訂正の内容
　訂正事項ａ；
　特許請求の範囲、請求項１
「ＯＨＰ合紙機能が選択されたことを条件として、画像記録されたＯＨＰ用紙と
、合紙を交互に排出すると共に、普通紙への画像記録を設定枚数だけ行う制御手
段を備えることを特徴とする画像記録装置。」を
「ＯＨＰ合紙機能が選択されたことを条件として、画像記録されたＯＨＰ用紙と合紙を交互に排出する動作と、普通紙への画像記録を設定枚数だけ行う動作とを、一連に実行する制御手段を備えることを特徴とする画像記録装置。」
と訂正する。
　
　訂正事項ｂ；
　明細書の【０００６】の
　「【０００６】
　【発明を解決するための手段及び作用】
　上記の目的を達成するために、本発明の画像記録装置は、ＯＨＰ合紙機能が選択されたことを条件として、画像記録されたＯＨＰ用紙と、合紙を交互に排出すると共に、普通紙への画像記録を設定枚数だけ行う制御手段を備えることを特徴とする。従って、本発明によれば、ＯＨＰ合紙機能が選択された場合には、画像記録されたＯＨＰ用紙と、合紙が交互に排出されてＯＨＰ合紙が行われ、更に、普通紙への画像記録が設定枚数だけ行われるので、ＯＨＰ用紙を作成する際に、同時に、会議用の資料として用いられるコピーを作成でき、作業効率を大幅に向上させることができる。」を
　「【０００６】
　【課題を解決するための手段及び作用】
　上記の目的を達成するために、本発明の画像記録装置は、ＯＨＰ合紙機能が選択されたことを条件として、画像記録されたＯＨＰ用紙と合紙を交互に排出する動作と、普通紙への画像記録を設定枚数だけ行う動作とを、一連に実行する制御手段を備えることを特徴とする。
　従って、本発明によれば、ＯＨＰ合紙機能が選択された場合には、画像記録されたＯＨＰ用紙と、合紙が交互に排出されてＯＨＰ合紙が行われ、更に、普通紙への画像記録が設定枚数だけ行われるので、ＯＨＰ用紙を作成する際に、同時に、会議用の資料として用いられるコピーを作成でき、作業効率を大幅に向上させることができる。」
と訂正する。
　
（２）訂正の目的（特許法１２０条の４第２項）の適否、新規事項（同、１２６条第２項）の有無及び拡張・変更（同、１２６条第３項）の存否
　上記訂正事項ａは、訂正前の請求項１における「画像記録されたＯＨＰ用紙と
、合紙を交互に排出すると共に、普通紙への画像記録を設定枚数だけ行う制御手
段」を、「画像記録されたＯＨＰ用紙と合紙を交互に排出する動作と、普通紙への画像記録を設定枚数だけ行う動作とを、一連に実行する制御手段」とすることにより、制御手段の構成を具体的に限定したものであるから、特許請求の範囲の減縮に該当するものである。そして、上記訂正事項ａは、願書に添付した明細書又は図面に記載した事項の範囲内のものであって、新規事項の追加に該当するものではなく、実質上特許請求の範囲を拡張又は変更するものでもない。
　
  上記訂正事項ｂは、上記訂正事項ａに応じて、特許請求の範囲と、発明の詳細な説明、図面の簡単な説明及び図面の記載との整合を図るものであって、明りょうでない記載の釈明に該当する。また、この訂正事項は、願書に添付した明細書に記載された事項の範囲内においてなされたものであるので新規事項の追加に該当せず、かつ、実質的に特許請求の範囲を拡張するものでも変更するものでもないと認められる。
　
（３）独立特許要件（特許法第１２６条第４項）についての判断
　［訂正発明］                  
　訂正請求書に添付した訂正明細書の特許請求の範囲の請求項１に係る発明は、その訂正明細書及び図面の記載からみて、その請求項１に記載の以下の事項によって特定されるとおりのものと認める。
「ＯＨＰ合紙機能が選択されたことを条件として、画像記録されたＯＨＰ用紙と合紙を交互に排出する動作と、普通紙への画像記録を設定枚数だけ行う動作とを、一連に実行する制御手段を備えることを特徴とする画像記録装置。」
  以下、上記請求項１に係る発明を「本件訂正発明」という。
　
［引用刊行物］
　これに対して、当審が通知した取消理由及び訂正拒絶理由で引用した刊行物１、２には、それぞれ、以下の事項が記載されている。
　
　　　刊行物１：特開平２−１４６５６９号公報
　　　刊行物２：特開昭６２−５９９７１号公報
　
　上記刊行物１には、
　第２頁左下欄第８行〜第１１行；
「この画像形成においては、露光部が第１方向と逆の方向に移動することから、ＯＨＰシートには原稿の画像に対し逆向きの画像が形成される。」
　第３頁右上欄第１５行〜同頁左下欄第７行；
「一方、当該複写機は、第２図に示しように、ＣＰＵ、ＲＯＭ及びＲＡＭ等から構成される制御部４０を有している。制御部４０には、コピー枚数を設定する際等に使用されるテンキー４１、コピー開始を指令するためのコピーキー４２、ＯＨＰモードへの切り換えを指令するためのＯＨＰモードキー４３、…（中略）…が接続されている。また、制御部４０には、前記第１給紙ローラ２８、第２給紙ローラ３０、前記スキャナー１５を往復移動させる光学系モータ４４、スキャナー１５のランプ１５ａ及び他の出力部が接続されている。」、
　第３頁左下欄下から２行目〜第５頁右上欄第１９行；
「第４Ａ図において、図示しないメインスイッチをＯＮすれば、ステップＳ１においてテンキー４１の操作に基づきコピー枚数が入力される。ここでは仮に、「５」が設定されたとする。次にステップＳ２では、ＯＨＰモードキー４３が押されたか否かを判断する。このキー４３が押されていなければ通常の記録紙２９を用いたコピーモードであり、このキー４３が押されていればＯＨＰシート２７をも使用してコピーを行うＯＨＰモードへの移行を意味する。…（中略）…。
　ステップＳ２においてＯＨＰモードキーが押されていれば、ステップＳ３に移行する。ステップＳ３では、ＯＨＰ枚数として「１」を表示する。次に、ステップＳ４においてＯＨＰ枚数がテンキー４１の操作に基づいて入力される。ここでは仮に、「２」が設定されたとする。そして、ステップＳ５に移行する。…（中略）…。
　ステップＳ５或いはステップＳ５ａにおいて、コピーキー４２が押されればステップＳ６に移行する。…（中略）…。
　次に、第４Ｂ図のステップＳ１３に移行する。ステップＳ１３では、第２給紙ローラ３０を回転させ、給紙カセット２５から記録紙２９を画像形成部１４に供給する。ステップＳ１４ではランプ１５ａを点灯させる。ステップＳ１５では、スキャナー１５を行き方向に駆動する。ステップＳ１６では、感光体ドラム２２を回転させる等の複写プロセスが開始される。ステップＳ１７では、撮像部１７により、画像形成が開始される。…（中略）…。ステップＳ２１では、複写プロセスを停止する。そして、ステップＳ２２では、コピー枚数のメモリーをデクレメントする。上述のステップＳ１３からステップＳ２２での処理が、第５図のＦ１部分に相当している。
　次に、第４Ｃ図のステップＳ２３に移行する。ステップＳ２３では、ＯＨＰ枚数が０であるか否かを判断する。ここでは、ＯＨＰ枚数が仮に「２」に設定されているので、ステップＳ２４に移行する。ステップＳ２４では、スキャナー１５の折り返し動作のために…（中略）…。ステップＳ２８では、第１給紙ローラ２８を回転させ、ＯＨＰシート２７の１枚を画像形成部１４側に供給する。ステップＳ２９では、スキャナー１５を逆Ｘ方向に駆動する。ステップＳ３０では、画像形成部１４による複写プロセスを開始させる。…（中略）…。このステップＳ２４からステップＳ３３までの処理が、第５図のＦ１とＲ１との間の折り返し部分の動作である。
　次に、ステップＳ３４では、画像形成を開始する。ステップＳ３５では、スキャナー１５が逆Ｘ方向に移動して、…（中略）…。そして、ステップＳ４２においてＯＨＰ枚数をデクレメントする。上述のステップ３４からステップＳ４２での処理が第５図のＲ１に相当している。
　次に、第４Ｄ図のステップＳ４３に移行し、コピー枚数が０であるか否かを判断する。この時点では、コピー枚数は「４」に設定されているので、第４Ｂ図のステップＳ１３に戻る。
　続いて、ステップＳ１３からステップＳ４２の動作を再び行う。この動作は第５図のＦ２及びＲ２に相当している。この処理がおわれば、ステップＳ４３においてコピー枚数が「３」となっているので、再び第４Ｂ図のステップＳ１３に移行する。そして、第５図のＦ３に相当する処理を、ステップＳ１３からステップＳ２２に基づいて行う。
　次に、ステップＳ２３に移行するが、この時点では、ＯＨＰ枚数が「０」となっている。そこで、プログラムは、第４Ｄ図のステップＳ４４に移行する。ここでは、ＯＨＰシート２７に対するコピーは終了している。…（中略）…。そして、ステップＳ４３に移行する。上述のステップＳ４４からステップＳ４９での処理は、第５図のＲ３に相当している。
　ここでは、コピー枚数は「２」に設定されているので、ステップＳ４３から第４Ｂ図のステップＳ１３に戻る。
　次に、ステップＳ１３からステップＳ２３、さらにステップＳ４４からステップＳ４９の処理を２回繰り返す。ここでの処理は第５図のＦ４、Ｒ４、Ｆ５、Ｒ５に相当している。Ｒ５に相当する処理が終われば、ステップＳ４３での判断がＹｅｓとなり、第４Ａ図のステップＳ１に戻る。これによって、記録紙２９を用いた５枚のコピー及びＯＨＰシート２７を用いた２枚のコピーが排出トレイ３２上に得られたことになる。」
　以上により、上記刊行物１から、次のような画像形成装置が把握される。
イ）コピー枚数が設定された後、ＯＨＰモードキーが押された場合に、設定されたコピー枚数及び設定されたＯＨＰ枚数に基づいて、まず、スキャナの往復動のうちの往動による形成画像が記録紙に記録され、次に、復動による形成画像がＯＨＰシートに記録され、これを繰り返して記録紙への記録とＯＨＰシートへの記録を順次行う。
ロ）この場合、ＯＨＰシートに記録された画像は逆向きとなっている。
ハ）また、普通紙へのコピー枚数が多い場合には、ＯＨＰシートへの記録が終了した後に、引き続いて残りの記録紙への記録を行う。
　
　上記刊行物２には、
　第１頁右下欄第２０行〜第２頁左上欄第１６行；
「多段トレイを有する電子写真複写機において、ＡはＯＨＰフィルムを収納するトレイから同ＯＨＰフィルムを１枚ずつ給紙するＯＨＰ給紙手段であり、Ｂは通常白紙を収納するトレイから同白紙を１枚ずつ給紙する白紙給紙手段である。
　Ｃは画像の形成を一時休止させる画像形成休止手段である。
　ＤはＯＨＰフィルムに複写画像を形成するモードに制御系をセットするＯＨＰモード選択手段である。
　Ｅは前記ＯＨＰ給紙手段Ａ、白紙給紙手段Ｂおよび画像形成休止手段Ｃの駆動を制御する制御手段である。
　本発明は以上のように構成され、ＯＨＰモード選択手段ＤによりＯＨＰモードが選択されたときには、制御手段Ｅの制御の下でＯＨＰフィルムと白紙が交互に排出されかつＯＨＰフィルムにのみ複写画像を形成することができる。」、
　第３頁左下欄第４行〜同頁右下欄第２行；
「本実施例では、通常の複写工程をできるだけ維持し、…（中略）…。
　また本発明は、多段トレイを有する通常の電子写真式複写機の制御手順を変更したものであり、ＯＨＰモード選択手段を設けるほかは特別の装置を必要としない」
　以上により、上記刊行物２から、次のような電子写真式複写機が把握される。
イ）ＯＨＰモード選択手段ＤによりＯＨＰモードが選択されたときには、ＯＨＰ給紙手段Ａ、白紙給紙手段Ｂおよび画像形成休止手段Ｃの駆動を制御する制御手段Ｅの制御の下で、ＯＨＰフィルムと白紙が交互に排出され、かつ、ＯＨＰフィルムにのみ複写画像が形成される。
ロ）通常の電子写真式複写機の制御手順を前提としているものであることから、ＯＨＰ選択手段Ｄが選択されなかった場合には、白紙（普通紙）への通常の複写工程（普通紙への画像記録を設定枚数だけ行う動作）を行う制御が行われる。
　
［対比・判断］
　上記刊行物にそれぞれ記載された発明について検討するに、
Ａ）刊行物１に記載の発明について
　上記刊行物１に記載の発明は、ＯＨＰモードキーが押されたことを条件として、画像記録されたＯＨＰ用紙を排出する動作と、普通紙（記録紙２９）への画像記録を設定枚数だけ行う動作とは、一応、一連に実行されており、その制御手段（制御部４０）を備えているものといえる。しかしながら、この制御においては、露光部の往動で行われる普通紙のコピー動作の復動を利用して、換言すれば普通紙コピーの隙間工程を利用して、ＯＨＰのコピーを実行するものであって、コピー全体の仕上がりをみると、ＯＨＰには合紙が無く、ＯＨＰコピーの画像は復動を利用しているため逆向きの画像になっており、これをコピー順に集積するとすると、普通紙の間に逆向きの画像のＯＨＰコピーが入り込んだ状態で仕上げられる。このため、原稿が複数枚ある場合にソートを行うと、特殊な制御を行わない限り、コピー受けには普通紙と逆向き画像のＯＨＰのコピーが混在して集積されることになる。
　以上の点を考慮すると、上記刊行物１の発明は、ＯＨＰのコピーと普通紙のコピーとを一連に行ったというには無理があり、むしろ、普通紙コピーの工程中にＯＨＰコピーの工程を挿入したという方が自然である。
　そうすると、上記刊行物１には、本件訂正発明が意味するところの「一連に実行する」、すなわち、画像記録されたＯＨＰ用紙と合紙を交互に排出する動作と、普通紙への画像記録を設定枚数だけ行う動作という、二つの動作を一連に実行する点の技術思想は、記載も示唆もされていないというべきである。
　
Ｂ）刊行物２に記載の発明について
　上記刊行物２に記載された発明における「ＯＨＰモード」は、ＯＨＰのコピーに合紙を組み合わせる点で本件訂正発明を共通する点はあるものの、ＯＨＰのコピーは、普通紙のコピーとは排他的に独立した操作で実施されるものである点で本件訂正発明と相違している。そして、上記刊行物２の発明において、仮に、ＯＨＰコピー後に普通紙のコピーを手動で連続して行うとすると、一見、本件訂正発明に近いものが想定されるが、この場合、原稿を原稿台に戻してから、普通紙コピー枚数を設定してコピーを開始する必要があるばかりでなく、これを、ソートする場合、ＯＨＰのコピーと普通紙のコピーが独立して行われるため、ソートも両者が初期状態から行われることになり、コピー後のＯＨＰと普通紙を区別してソートすることはできないという点で、コピー機能としては顕著な差異が生じることが理解できる。したがって、上記に仮定した手動で連続して行う操作を自動的に一連に実行することが容易としても、これによる一連の制御は本件訂正発明におけるものとは大きく異なるものである。
　してみると、上記刊行物１と同様、上記刊行物２にも、本件訂正発明における本質的構成要件である「一連に実行する」という技術思想は、記載も示唆もされていないというのが相当である。
　
Ｃ）まとめ
　前示Ａ）及びＢ）のとおり、刊行物１及び刊行物２には、本件訂正発明の本質的な構成要件である「画像記録されたＯＨＰ用紙と合紙を交互に排出する動作と、普通紙への画像記録を設定枚数だけ行う動作とを、一連に実行する制御手段」に関する構成要件についての記載や示唆は無く、また、両刊行物に記載された発明を組み合わせたとしても、具体的に本件訂正発明を構成する根拠は見あたらない。
　そして、本件訂正発明は、上記刊行物１及び刊行物２の組み合わせからは得られない上記の構成要件に起因して、ＯＨＰ合紙機能が選択された場合には、画像記録されたＯＨＰ用紙と、合紙が交互に排出されてＯＨＰ合紙が行われ、更に、普通紙への画像記録が設定枚数だけ行われるので、ＯＨＰ用紙を作成する際に、同時に、会議用の資料として用いられるコピーを作成できるという効果を奏するものであるから、上記刊行物１，２の記載から当業者が容易に発明をすることができたということは困難である。
　よって、訂正明細書の請求項１に係る発明は、上記刊行物１，２の存在にかかわらず、特許出願の際に独立して特許を受けることができるものである。
　
（４）むすび
　以上のとおりであるから、上記訂正は「平成６年改正法」附則第６条第１項の規定によりなお従前の例とされる特許法第１２０条の４第３項において準用する「平成６年改正法」による改正前の特許法第１２６条第１項ただし書、第２項及び第３項の規定に適合するので、当該訂正を認める。
　
３．特許異議の申立てについての判断
（１）申立の理由の概要
　特許異議申立人内山　充は、
　　甲第１号証：特開平２−１４６５６９号公報
　　甲第２号証：特開昭６２−５９９７１号公報
を提出して、
訂正前の本件請求項１に係る発明は、本願出願前公知の甲第１号証及び甲第２号証から当業者が容易に発明をすることができたものであるから、特許法第２９条第２項の規定により特許を受けることができず、同法第１１３条第１項第２号の規定により取り消されるべき旨主張している。
　
（２）甲号各証
　甲第１号証；
　上記２．（３）［引用刊行物］の「刊行物１」を参照。
　甲第２号証；
　上記２．（３）［引用刊行物］の「刊行物２」を参照。
　
（３）当審の判断
　前示のように適法に訂正された本件請求項１に係る発明は、上記２．（３）の［対比・判断］で示したように、上記甲第１号証及び甲第２号証に記載のものから当業者が容易に発明をすることができたものであるとはいえない（上記２．（３）の［対比・判断］における「刊行物１」、「刊行物２」を「甲第１号証」、「甲第２号証」と読み替える。）。
　よって、本件発明は、特許異議申立の理由及び証拠によっては、特許法第２９条第２項の規定により特許を受けることができないものとすることはできない。
　
４．むすび
　以上のとおりであるから、特許異議申立の理由及び証拠によっては本件発明についての特許を取り消すことはできない。
　また、他に本件発明についての特許を取り消すべき理由を発見しない。
　よって、「平成６年改正法」附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年６月２日（２０００．６．２）
【訂正の要旨】
［訂正の要旨］
　訂正事項ａ；
　本件特許明細書の特許請求の範囲の請求項１；
「ＯＨＰ合紙機能が選択されたことを条件として、画像記録されたＯＨＰ用紙と、合紙を交互に排出すると共に、普通紙への画像記録を設定枚数だけ行う制御手段を備えることを特徴とする画像記録装置。」を、特許請求の範囲の減縮を目的として、
「ＯＨＰ合紙機能が選択されたことを条件として、画像記録されたＯＨＰ用紙と合紙を交互に排出する動作と、普通紙への画像記録を設定枚数だけ行う動作とを、一連に実行する制御手段を備えることを特徴とする画像記録装置。」
と訂正する。
　訂正事項ｂ；
　本件特許明細書の段落【０００６】；
　「【０００６】
　【発明を解決するための手段及び作用】
　上記の目的を達成するために、本発明の画像記録装置は、ＯＨＰ合紙機能が選択されたことを条件として、画像記録されたＯＨＰ用紙と、合紙を交互に排出すると共に、普通紙への画像記録を設定枚数だけ行う制御手段を備えることを特徴とする。従って、本発明によれば、ＯＨＰ合紙機能が選択された場合には、画像記録されたＯＨＰ用紙と、合紙が交互に排出されてＯＨＰ合紙が行われ、更に、普通紙への画像記録が設定枚数だけ行われるので、ＯＨＰ用紙を作成する際に、同時に、会議用の資料として用いられるコピーを作成でき、作業効率を大幅に向上させることができる。」を、訂正請求による特許請求の範囲の請求項１の訂正に伴い、不整合を解消すべく、明りょうでない記載の釈明を目的として、
　「【０００６】
　【課題を解決するための手段及び作用】
　上記の目的を達成するために、本発明の画像記録装置は、ＯＨＰ合紙機能が選択されたことを条件として、画像記録されたＯＨＰ用紙と合紙を交互に排出する動作と、普通紙への画像記録を設定枚数だけ行う動作とを、一連に実行する制御手段を備えることを特徴とする。
　従って、本発明によれば、ＯＨＰ合紙機能が選択された場合には、画像記録されたＯＨＰ用紙と、合紙が交互に排出されてＯＨＰ合紙が行われ、更に、普通紙への画像記録が設定枚数だけ行われるので、ＯＨＰ用紙を作成する際に、同時に、会議用の資料として用いられるコピーを作成でき、作業効率を大幅に向上させることができる。」
と訂正する。
（５４）【発明の名称】
画像記録装置
（５７）【特許請求の範囲】
　　【請求項１】　ＯＨＰ合紙機能が選択されたことを条件として、画像記録されたＯＨＰ用紙と合紙を交互に排出する
動作と、
動作とを、一連に実行する
【発明の詳細な説明】
　　　【０００１】
　　【産業上の利用分野】
　本発明は、複写機、プリンタ等の画像記録装置に係り、特にＯＨＰ用紙に原稿画像を記録できる機能を備える画像記録装置に関する。
　　　【０００２】
　　【従来の技術】
　従来、原稿の画像をＯＨＰ用紙にコピーするＯＨＰ合紙機能を備える複写機が知られており、これによれば、まず合紙が搬送されて何等のコピーも行われずそのまま排出され、次にＯＨＰ用紙が搬送されて原稿の画像がコピーされ、先に排出された合紙の上に重ねられて排出される。
　　　【０００３】
　　【発明が解決しようとする課題】
　ところで、ＯＨＰにコピーしょうとする原稿は会議等において資料として配布されることが多い。従ってＯＨＰ合紙機能を使用してＯＨＰ用紙にコピーする際に必要な部数だけ普通紙にもコピーできることが望ましいが、従来のＯＨＰ合紙機能はこのような要望に答えることができないものであった。
　　　【０００４】
　また、我が国ではＯＨＰ用紙としてはＡ４版が採用されており、そのために従来のＯＨＰ合紙機能を備える複写機では、ＯＨＰ合紙機能が選択された場合には合紙のサイズとしては自動的にＡ４版の用紙が選択されるようになされているのが通常である。しかしマルチナショナルに展開される複写機においてはこのようにＯＨＰ合紙機能を選択した場合に用紙サイズが限定されてしまうことは問題となる。なぜなら国あるいは地域によってはＯＨＰ用紙がＡ４版以外の場合も考えられるからである。また更に、ＯＨＰ用紙へのコピーに加えて普通紙にもコピーできるようにした場合には、会議の資料としてはＡ４版以外のサイズの用紙が要求される場合もあるから、用紙をＡ４版に限定することは得策ではなく、ユーザが所望するトレイから用紙を搬送できることが望まれる。しかしながら、従来の複写機ではこのような要望には対応することができないものであった。
　　　【０００５】
　本発明は、上記の課題を解決するものであって、原稿の画像をＯＨＰ用紙にコピーできることは勿論、それに加えて同一原稿の画像を普通紙へもコピーすることができる画像記録装置を提供することを目的とする。
　　　【０００６】
　　【
課題
　上記の目的を達成するために、本発明の画像記録装置は、ＯＨＰ合紙機能が選択されたことを条件として、画像記録されたＯＨＰ用紙
と
動作と、
動作とを、一連に実行する
　従って、本発明によれば、ＯＨＰ合紙機能が選択された場合には、画像記録されたＯＨＰ用紙と、合紙が交互に排出されてＯＨＰ合紙が行われ、更に、普通紙への画像記録が設定枚数だけ行われるので、ＯＨＰ用紙を作成する際に、同時に、会議用の資料として用いられるコピーを作成でき、作業効率を大幅に向上させることができる。
　　　【０００７】
　　　【０００８】
　　【実施例】
　以下、図面を参照しつつ実施例を説明する。
　　　【０００９】
　図１は本発明に係る画像記録装置の一実施例の構成を示す図であり、図中、１はＯＨＰ合紙機能スタンバイ制御（以下、単にスタンバイ制御と称す）、２はＯＨＰ合紙機能プリント制御（以下、単にプリント制御と称す）、３はＯＨＰ合紙機能ソ一夕制御（以下、単にソータ制御と称す）を示す。
　　　【００１０】
　スタンバイ制御１は、ＯＨＰ合紙機能が選択されたことの情報、合紙のための用紙及びコピーするための用紙を収納するトレイを指定するトレイ情報、ＯＨＰ用紙を収納するＭＳ　Ｉ（マルチシートインサータ）を指定するＭＳ１情報を受け取り、ＯＨＰ合紙機能を受け付けることができる状態にあること、指定されたトレイに用紙が有ること、ＭＳ　Ｉに用紙が有ること等、ＯＨＰ合紙機能を実行するための条件が整っていることを確認するとプリント制御２にレディ（Ｒｅａｄｙ）信号を送る。
　　　【００１１】
　プリント制御２は、スタンバイ制御１からのレディ信号、普通紙に対するコピー設定枚数、ソータモードを受け、スタートボタンが押された情報を受け取ると用紙のフィード処理及びコピー処理を行う。なお、コピー処理については周知であるので説明は省略する。
　　　【００１２】
　ソータ制御３は、プリント制御２からどのような用紙をフィードしたかを示すフィード情報を受けて所定のソータのビンの移動の制御を行う。ここでソータのビンは、１ビンから最後のｎビンまで順に上がると、次には（ｎ−１）ビン、（ｎ−２）ビン、……というように順次下がるように制御されるものとする。なお、ソータの駆動機構については周知であるので詳細な説明は省略する。
　　　【００１３】
　さて、ソータにはソートモードとスタックモードが用意されており、本発明ではソートモードにおいては図８Ａに示す態様になるように、スタックモードにおいては同図Ｂに示す態様になるようにする。即ち、図８において５は合紙、６はＯＨＰ用紙のコピー、７は普通紙のコピーを示し、添え字の１，２，…，ｎは原稿の枚数を示すが、ソートモードにおいては、まず１ビンに指定されたトレイから合紙５１をフィードしてそのまま排出し、次にＭＳＩからＯＨＰ用紙をフィードし、１枚目の原稿の画像をコピーして１ビンに排出する。これが６１で示すものである。次に指定されたトレイから普通紙をフィードして１枚目の原稿の画像をコピーし、２ビンに排出する。これが７１で示すものである。以下、この動作を設定枚数だけ繰り返す。従ってソートモードにおいては設定枚数は（ｎ−１）枚となる。いま当該ソータが１０ビンを有するものとし、設定枚数が９枚であるとすると、上記の動作が繰り返されることにより、普通紙に対する１枚目の原稿の画像のコピーは図８Ａに示すように１０ビンまで行われる。これで１枚目の原稿のコピーが終了する。次に、２枚目の原稿のコピーに移るが、この場合にはまず普通紙へのコピーが１０ビンから２ビンまでビンを順次下げながら行われ、これによって図の７２が各ビンに１枚ずつ排出される。そして１ビンになると図中５２で示すように、指定されたトレイから合紙がフィードされてそのまま排出され、次にＯＨＰ用紙がＭＳＩからフィードされ、２枚目の原稿の画像がコピーされて６２に示すように排出される。３枚目以降の原稿については以上の動作が繰り返される。
　　　【００１４】
　また、スタックモードの場合には、まず指定されたトレイから普通紙をフィードして１枚目の原稿の画像を設定枚数だけコピーして図８Ｂの７１で示すように１ビンに排出し、次に同じトレイから普通紙をフィードし、そのまま１ビンに排出する。これが合紙５１である。そして最後にＭＳＩからＯＨＰ用紙をフィードし、１枚目の原稿の画像をコピーして図の６１で示すように１ビンに排出する。これで１枚目の原稿のコピーは終了となる。２枚目以降の原稿のコピーにおいては順次ビンを上げながら上記の動作が繰り返される。このスタックモードは、特に普通紙に対するコピー枚数が原稿毎に異なる場合に有効である。
　　　【００１５】
　上述した用紙のフィード制御、ソータのビンの動きの制御はそれぞれプリント制御３、ソータ制御３で行われるが、以下、ソートモード、スタックモードのそれぞれの場合について具体的な処理を説明する。
　　　【００１６】
　まずソートモード時の処理について図２〜図５を参照して説明する。図２はソートモード時のプリント制御２の処理を示すフローチャート、図３、図４はそれぞれ図２のステップＳ２，Ｓ３の具体的な処理を示すフローチャート、図５はソー夕モード時のソータ制御３の処理を示すフローチャートである。
　　　【００１７】
　スタートボタンが押されてコピーの開始が指示されると、ビンが１ビンにあるか否かを判断し（ステップＳ１）、１ビンにある場合にはステップＳ２の処理を、１ビンにない場合にはステップＳ３の処理を行う。初期状態においてはビンは１ビンにあるからステップＳ２の処理が行われる。ステップＳ２においては、図３に示すように、まず指定されたトレイから合紙用の普通紙をフィードしてそのまま１ビンに排出する（ステップＳ１０）。このフィード情報はソータ制御３に送られる。ソ一夕制御３は、フィード情報から、いまフィードされた用紙がどのような用紙であるかを判断する（ステップＳ３０）。この場合は合紙であるから何の処理も行わずにそのまま待機する。
　　　【００１８】
　プリント制御２は、ステップＳ１１で合紙がレジゲートセンサを通過したと判断したらトレイをＭＳＩに変更し（ステップＳ１２）、ＯＨＰ用紙をフィードして１枚目の原稿の画像のコピー処理を行い１ビンに排出する（ステップＳ１３）。このときソータ制御３にはＯＨＰ用紙がフィードされた旨のフィード情報が送られるから、ソータ制御３はステップＳ３０からＳ３６に分岐してビンの移動方向を判断する。この場合は１ビンにあるからビンは上がる方向にあり、従ってソータ制御３はステップＳ３７でビンを１つ上げる。これにより２ビンが設定される。
　　　【００１９】
　プリント制御２は、ステップＳ１４でコピーされたＯＨＰ用紙がレジゲートセンサを通過したと判断したらトレイを再び指定されたトレイに変更し（ステップＳ１５）、普通紙をフィードして１枚目の原稿の画像をコピーして排出する（ステップＳ１６）。このときには２ビンが設定されているから、当該普通紙のコピーは２ビンに排出される。
　　　【００２０】
　そしてソ一夕制御３は、フィード情報により通常コピーが行われたと判断し、ステップＳ３０からＳ３１に分岐してビンの移動方向を判断する。この場合はビンが上がる方向にあるから、ステップＳ３２でビンを一つ上げる。これにより３ビンが設定される。以上の動作が設定枚数だけ繰り返され、１枚目の原稿のコピー処理が終了する。
　　　【００２１】
　普通紙に対するコピーが設定枚数終了すると、プリント制御２は図３に示す処理を終了するが、ソータ制御３は設定枚数のコピーが終了すると、ステップＳ３４からＳ３５に分岐してビンの移動方向を変更して次のフィード情報を受けるまで待機する。
　　　【００２２】
　次に２枚目の原稿のコピーが開始されるが、このときにはビンは（設定枚数＋１）のビン、例えば、設定枚数が９枚の場合には１０ビンにあるから、プリント制御２はステップＳ１でビンは１ビンでないと判断し、ステップＳ３の処理を行う。ステップＳ３の処理においては図４に示すように、まず指定されたトレイから普通紙をフィードし、２枚目の原稿の画像をコピーして排出する（ステップＳ２０）。この普通紙のコピーは１枚目の原稿の最後のコピーが排出されたビンと同じビンであることは明らかである。このときソータ制御３はフィード情報により普通紙がフィードされたことを認識して、ステップＳ３１でビンの移動方向を判断する。この場合にはビンが下がる方向にあるから、ステップＳ３３でビンを一つ下げる。これによって設定枚数が９枚の場合には９ビンが設定される。以上の動作を設定枚数の回数だけ繰り返す。
　　　【００２３】
　普通紙に対するコピーを設定枚数だけ行うと、プリント制御２は指定されたトレイから合紙をフィードし、そのまま排出する（ステップＳ２２）。このときビンは１ビンになっているから合紙は１ビンに排出されることは明らかである。ソータ制御３は合紙のフィード情報を受け取るがステップＳ３０により何もせずに次のフィード情報を受けるまで待機する。従ってこのときビンは１ビンの状態を保つ。
　　　【００２４】
　そして、プリント制御２は、合紙がレジゲートセンサを通過したと判断すると（ステップＳ２３）、トレイをＭＳ　Ｉに変更し（ステップＳ２４）、ＯＨＰ用紙をフィードして２枚目の原稿をコピーして排出する（ステップＳ２５）。このＯＨＰ用紙が１ビンに排出されることは明らかである。このときソータ制御３は、ＯＨＰ用紙がフィードされたことを認識してステップＳ３８でビンの移動方向を変更し、次のフィード情報を待つ。
　　　【００２５】
　以上の処理が全ての原稿について行われることによって図８Ａに示す態様のコピーを行うことができる。なお、自動原稿送り装置（ＡＤＦ）が使用されている場合にはステップＳ４，Ｓ５により自動的にステップＳ１に戻ることは明らかである。
　　　【００２６】
　次に、スタックモード時の処理について図６、図７を参照して説明する。図６はスタックモード時のプリント制御２の処理を示すフローチャート、図７はスタックモード時のソータ制御３の処理を示すフローチャートである。
　　　【００２７】
　プリント制御２は、まず、指定されたトレイから普通紙をフィードし、１枚目の原稿の画像をコピーして排出する（ステップＳ４０）。この処理を設定枚数だけ繰り返す（ステップＳ４１）。初期状態においてはビンは１ビンにあるから、これらの普通紙のコピーは全て１ビンに排出されることは明らかである。このときコピーが行われる度毎にフィード情報がソータ制御３に送られるが、ソータ制御３はＯＨＰ用紙がフィードされたことを認識しないので何の処理も行わない。
　普通紙に対するコピーを設定枚数行うと、プリント制御２は次に指定されたトレイから合紙をフィードし、そのまま排出する（ステップＳ４２）。この合紙が１ビンに排出されることも当然である。
　　　【００２８】
　そして、プリント制御２は合紙がレジゲートセンサを通過したことを認識すると（ステップＳ４３）、トレイをＭＳＩに変更し（ステップＳ４４）、ＯＨＰ用紙をフィードして１枚目の原稿の画像をコピーして排出する（ステップＳ４５）。このＯＨＰ用紙も１ビンに排出される。これで１枚目の原稿のコピーが終了するが、このとき、ソータ制御３は、フィード情報によりＯＨＰ用紙がフィードされたことを認識して、ビンの移動方向を判断する（ステップＳ５１）。この場合には１ビンから上がる方向にあるから、更に次にステップＳ５２で現在のビンが最終ビンか否かを判断して、最終ビンであればビンの移動方向を変更することになるが、この場合には最終ビンではないので、ステップＳ５３でビンを一つだけ上げる。これにより２ビンが設定され、２枚目の原稿のコピーは全て２ビンに排出されることになる。
　　　【００２９】
　以上の動作が全ての原稿について行われることにより図８Ｂに示す態様のコピーを行うことができる。
　　　【００３０】
　なお、図７のステップＳ５５〜Ｓ５７は原稿がビン数より多い場合に行われる処理であり、ビン数が１０である場合には、１１枚目以降の原稿については順次ビンが下げられて排出されるものである。
　　　【００３１】
　以上、本発明の一実施例について説明したが、本発明は上記実施例に限定されるものではなく、種々の変形が可能である。例えば上記実施例では、ソータのビンは１ビンから順次上がって行って最終ビンになると、次には最終ビンから順次下がる動きをするものと仮定したが、最終ビンから１ビンに戻る動きをする場合にも本発明を適用できることは明らかである。
　　　【００３２】
　　【発明の効果】
　以上の説明から明らかなように、本発明によれば、ＯＨＰ合紙機能が選択された場合には、画像記録されたＯＨＰ用紙と、合紙が交互に排出されてＯＨＰ合紙が行われ、更に、普通紙への画像記録が設定枚数だけ行われるので、ＯＨＰ用紙を作成する際に、同時に、会議用の資料として用いられるコピーを作成でき、作業効率を大幅に向上させることができる。
【図面の簡単な説明】
　　【図１】　本発明に係る画像記録装置の一実施例の構成を示す図である。
　　【図２】　ソートモード時のプリント制御の処理を示すフローチャートである。
　　【図３】図２のステップＳ２の具体的な処理を示すフローチャートである。
　　【図４】図２のステップＳ３の具体的な処理を示すフローチャートである。
　　【図５】ソータモード時のソ一夕制御の処理を示すフローチャートである。
　　【図６】　スタックモード時のプリント制御２の処理を示すフローチャートである。
　　【図７】　スタックモード時のソ一夕制御３の処理を示すフローチャートである。
　　【図８】　本発明によるコピーの態様を示す図である。
　　【符号の説明】
　１…ＯＨＰ合紙機能スタンバイ制御、２…ＯＨＰ合紙機能プリント制御、３…ＯＨＰ合紙機能ソータ制御。